(57)【要約】      （修正有）【課題】キー操作ユニットの組立部品を共通化したキー形セレクタースイッチを提供する。【解決手段】キー形セレクタースイッチで、キー操作ユニットがフレーム５と、該フレーム５の筒部に収容保持したリング状の溝付きロータケース３と、タンブラー４を組み付けて前記ロータケース３に嵌入したシリンダー２との組立体からなり、シリンダー２からキー１が外せるキー抜け位置を、接点ユニットの接点切換ノッチに合わせて選択的に指定するようにしたものにおいて、前記のキー抜け位置に対応するタンブラーの逃げ溝として、ロータケース３の内周面に第１〜第４の溝３ａ−１〜３ａ−４を形成した上で、ケース外周側にはノッチ位置のピッチ間隔に合わせてスプライン歯３ｃを形成するとともに、フレーム５の筒部内周には前記スプライン歯３cが嵌まり合うキー溝５ａを形成した。【選択図】図１
2008066189.tif 000002
【特許請求の範囲】
【請求項１】
シリンダー錠を内蔵したキー操作ユニットの後部に接点ユニットを連結し、前記シリンダー錠に差し込んだキーを捻回操作して接点ユニットの接点を切換えるキー形セレクタースイッチであり、キー操作ユニットがフレームと、該フレームの筒部に収容保持したリング状の溝付きロータケースと、タンブラーを組み付けて前記ロータケースに嵌挿したシリンダーとの組立体からなり、シリンダーからキーが外せるキー抜け位置を、接点ユニットの接点切換ノッチに合わせて選択的に指定するようにしたものにおいて、
前記ロータケースの内周面に指定のキー抜け位置に対応するタンブラーの逃げ溝を形成した上で、ケース外周側には接点切換ノッチのピッチ間隔に合わせてスプライン歯を形成するとともに、フレームの筒部内周には前記スプライン歯が嵌まり合う溝を形成し、キー抜け位置の指定に合わせてフレーム／ロータケースの嵌合位置を設定するようにしたことを特徴とするキー形セレクタースイッチ。
【請求項２】
請求項１に記載のキー形セレクタースイッチにおいて、接点ユニットのノッチ数を２または３，キーの捻回角度範囲を９０°として、ロータケースの内周面に４５°のピッチ間隔で並ぶ第１，第２，第３の溝、および第１の溝から１８０°隔てた位置に第４の溝を形成したことを特徴とするキー形セレクタースイッチ。
【請求項３】
請求項２に記載のキー形セレクタースイッチにおいて、ロータケースの外周に形成したスプライン歯のピッチ間隔を４５°に設定し、該スプライン歯をフレームの筒部内周に形成したキー溝に嵌合して指定位置に係止保持させたことを特徴とするキー形セレクタースイッチ。
【発明の詳細な説明】
【技術分野】
【０００１】
本発明は、キー形セレクタースイッチに関し、詳しくはそのキー操作ユニットの組立構造に係わる。
【背景技術】
【０００２】
機器制御用のコマンドスイッチとして頭記のキー形セレクタースイッチが周知である。このキー形セレクタースイッチは、シリンダー錠を内蔵したキー操作ユニットの後部に接点ユニットを連結し、前記シリンダー錠に前方から差し込んだキーを捻回操作して接点ユニットの接点を切換えるようにしたスイッチであり（例えば、特許文献１参照）、その従来例の組立構造（ノッチ数：２、キーの捻回角度：９０°）を図５に示す。
【０００３】
図５（ａ），（ｂ）において、１０はキー操作ユニット、２０はキー操作ユニット１０の後端に連結した接点ユニット、３０はキー形セレクタースイッチを取り付ける配電盤，制御盤などの盤パネルである。ここで、キー操作ユニット１０は、前方からキー１を差し込むシリンダー（ロータ）２と、ロータケース３と、フレーム５との組立体になる。また、シリンダー２には複数枚のディスク形タンブラー（障害子）４が半径方向へスライド可能に組み込まれ、さらにロータケース３の内周面には接点ユニットの接点切換ノッチに合わせて前記タンブラー４を逃がす溝（凹溝）３ａが複数箇所に分散形成されており、このうち指定したキー１の抜け位置に対応する溝３ａを除いて、他の溝には円弧状の溝板３ｂを嵌着して溝を埋めるようにしている。なお、４ａはタンブラー４の板面に開口したキー１の通し穴で、タンブラー４は付勢ばね（圧縮コイルばね）４ｂによりロータケース３の内周面に向けて押圧付勢されている。
【０００４】
上記の組立構造で、シリンダー２に組み込んだタンブラー４がロータケース３の溝３ａ（溝板無し）と向かい合っていれば、ロータケース３の拘束を受けずにキー１をタンブラー４の穴４ａに挿脱することができる。これに対して、図５（ｂ）のように、タンブラー４の先端が溝板３ｂと向かい合っているノッチ位置では、タンブラー４の動きが溝板３ｂに阻止されてキー１を外すことができない。
【０００５】
また、図６（ａ），（ｂ）はそれぞれ２ノッチ，３ノッチに対応したキー形セレクタースイッチの基本的な操作を表す模式図であり、図中の鎖線は接点ユニットのノッチ、ＦＰはキー１の抜き差し自由位置を表している。なお、図示してないが接点ユニット２０（図５参照）は１〜複数組のａ接点ないしｂ接点を適宜に組合せており、図６（ａ）の２ノッチ構成では、ＦＰ位置でシリンダー２に挿入したキー１を右に９０°捻回すると、このノッチ位置で接点が切り換わり、このノッチ位置から左に９０°戻すと接点が復帰動作する。また、図６（ｂ）の３ノッチ構成では、中央のＦＰ位置でシリンダー３に差し込んだキー１を右，あるいは左方向に４５°捻回すると、それに対応した接点が切り換わり、ＦＰに戻すと接点がリセット位置に復帰する。
【０００６】
一方、上記のキー形セレクタースイッチについて、メーカーではシリンダー２からキー１の外せる位置（キー抜け位置）を前記のＦＰ位置のみに規定してスイッチをこの位置に復帰させないとキーが抜けないようにする、あるいはキー１をＦＰ位置から捻回操作したノッチ位置でもキー１が自由に外せるようにするなどして、ユーザーの要求に対応できるようにキー１の外せる位置を指定した各仕様の製品を用意している。
【０００７】
図７（ａ）〜（ｇ）は前記した２ノッチ，３ノッチ構成のキー形セレクタースイッチについて、キー１の外せる位置を表した模式図で、図中の矢印がキー１の外せる位置（ノッチ）である。
【０００８】
そして、図７（ａ）〜（ｇ）に示したキー抜け位置の指定に対応させるために、従来のキー形セレクタースイッチでは、次記の図８，図９で示すようなキー操作ユニットの構造を採用して対処している。まず、図８（ａ）〜（ｇ）では、図５のようにフレーム５の筒部に収容して周囲２箇所を回り止め保持したロータケース３に対して、その内周面には図７の各キー抜け位置に対応する溝３ａ−１〜３ａ−３を４５°のピッチ間隔に分散形成しておき、ここで指定したキーの抜け位置（図７参照）の溝を残して他の溝には図５（ｂ）で述べた溝板３ｂを嵌着して溝を塞いでおく。なお、図５（ｂ）は図８（ｂ）のキー抜け指定に対応している。
【０００９】
一方、図９（ａ）〜（ｇ）の構造では、指定のキー抜け位置（図７参照）に合わせて溝３ａ−１，３ａ−２，３ａ−３を個別に形成した各種のロータケース３を組立部品として用意しておき、ユーザーの要求仕様に適合するロータケース３を選択してキー操作ユニット１０を組み立てるようにしている。
【特許文献１】特開平８−１８５７６７号公報（図６，図７）
【発明の開示】
【発明が解決しようとする課題】
【００１０】
ところで、前記した従来構造のキー形セレクタースイッチは、次記のような問題点がある。すなわち、図８の構造ではキー操作ユニットの組立部品として、キー抜け位置の指定に合わせてロータケース３の溝３ａに嵌合する溝板３ｂが必要であり、このために組立部品点数，組立工数が増えてコスト高となる。また、図９の構造では、キー抜け位置の指定に合わせて溝３ａを加工した部品（７種類）を用意しておく必要があり、かつこれら部品は互換性もなくてコスト高になる。その他、製品を購入したユーザーがあとからキーの抜け位置を変更する場合には、新たにその仕様に対応した部品を手当てしないと変更できない。
【００１１】
本発明は上記の点に鑑みなされたものであり、キー操作ユニットの構成部品を共通化してキー抜け位置の指定，変更にも簡単に対応できるように組立構造を改良したキー形セレクタースイッチを提供することを目的とする。
【課題を解決するための手段】
【００１２】
上記目的を達成するために、本発明によれば、シリンダー錠を内蔵したキー操作ユニットの後部に接点ユニットを連結し、前記シリンダー錠に差し込んだキーを捻回操作して接点ユニットの接点を切換えるキー形セレクタースイッチであり、キー操作ユニットがフレームと、該フレームの筒部に収容保持したリング状の溝付きロータケースと、タンブラーを組み付けて前記ロータケースに嵌挿したシリンダーとの組立体からなり、シリンダーからキーが外せるキー抜け位置を、接点ユニットの接点切換ノッチに合わせて選択的に指定するようにしたものにおいて、
前記ロータケースの内周面に指定のキー抜け位置に対応するタンブラーの逃げ溝を形成した上で、ケース外周側には接点切換ノッチのピッチ間隔に合わせてスプライン歯を形成するとともに、フレームの筒部内周には前記スプライン歯が嵌まり合う溝を形成し、キー抜け位置の指定に合わせてフレーム／ロータケースの嵌合位置を設定するよう構成するものとし（請求項１）、具体的にはロータケース，フレームを次記のような態様で構成する
（１）接点ユニットのノッチ数を２または３，キーの捻回角度範囲を９０°として、ロータケースの内周面に４５°のピッチ間隔で並ぶ第１，第２，第３の溝、および第１の溝から１８０°隔てた位置に第４の溝を形成する（請求項２）。
（２）前項（１）において、ロータケースの外周に形成したスプライン歯列のピッチ間隔を４５°に設定し、該スプライン歯列をフレームの筒部内周に形成したキー溝に嵌合して指定位置に係止保持させるようにする（請求項３）。
【発明の効果】
【００１３】
上記の構成によれば、フレームの筒部に嵌入して係止保持するロータケースの周方向位置を選択することで、部品の追加，交換の必要なしに指定するキーの抜け位置を図７（ａ）〜（ｇ）の位置に設定することができる。これにより、組立部品を共通化してユーザーの要求仕様に対応させることができて製品コストの大幅な低減化が図れる。また、製品を購入したユーザーサイドでも、新たに部品を手当てすることなしに、ロータケースの組み込み位置を変更するだけで所望のキー抜け位置に変更できてサービス性が向上する。
【発明を実施するための最良の形態】
【００１４】
以下、本発明の実施の形態を図１〜図４に示す実施例に基づいて説明する。なお、実施例の図中で図５に対応する部材には同じ符号を付してその説明は省略する。
【００１５】
すなわち、図示実施例のキー形セレクタースイッチは、図５に示した従来構造と基本的に同じであるが、ロータケース３，およびロータケース３を収容保持するフレーム５について、次記のような構造で構成している。
【００１６】
すなわち、図３の断面図で表すように、ロータケース３の内周面にはキー１の抜け位置指定に対応して第１〜第４の溝３ａ−１〜３ａ−４（タンブラーの逃げとなる凹溝）が分散形成され、外周面にはスプライン歯３ｃの歯列が形成されている。ここで、内周面の溝３ａ−１〜３ａ−３は４５°のピッチ間隔で周方向に並び、第４の溝３ａ−４は第１の溝３ａ−１と１８０°隔てた対角位置に形成されている。一方、外周のスプライン歯３ｃは４５°のピッチ間隔で全周に形成されており、このスプライン歯３ｃに対向してフレーム５の筒部内周には同じピッチ間隔でキー溝５ａが形成されている。
【００１７】
なお、６はフレーム５の後部に嵌入した皿形カムであり、このカム６とシリンダー２との間がねじ７で連結されている。このカム６の周上には突起６ａが設けてあり、この突起６ａに対向してフレーム５の中仕切壁（カム６のフランジ部が摺動する）にはシリンダー２の捻回操作角度を規制するように９０°の範囲に円弧状のガイド溝５ｂが切欠き形成されている。
【００１８】
次に、上記構造のキー形セレクタースイッチについて、キー１の抜け位置の設定方法を図４（ａ）〜（ｇ）を参照して説明する。なお、図４（ａ）〜（ｇ）はそれぞれ図７（ａ）〜（ｇ）に示したキー抜け位置に対応している。まず、フレーム５に対してロータケース３を図４（ａ）のような位置に合わせ、この位置でスプライン歯３ｃをフレーム５の筒部内周に形成したキー溝５ａに嵌入して係止した状態では、図３に示したキー１の捻回操作角度（９０°）の範囲で第１の溝３ａ−１のみがタンブラー４に対向している。これにより、シリンダー２に差し込んだキー１が外せる位置は第１の溝３ａ−１と合致するノッチ位置に規定され（図７（ａ）に対応）、この位置から右に９０°捻回したノッチ位置ではキー１を抜くことができない。
【００１９】
また、ロータケース３を図４（ｂ）の位置に係止設定する（ロータケース３を図４（ａ）の位置から反時計方向に１８０°移動）と、キー１の抜け位置は第４の溝３ａ−４と、該溝から右方向に９０°隔てた第３の溝３ａ−３の位置に指定（図７（ｂ）に対応）される。これにより、２ノッチ構成のキー形セレクタースイッチ（図６（ａ）参照）では、左右のノッチ位置でキー１を外すことができる。
【００２０】
以下、同様な方法でロータケース３を図４（ｃ）〜（ｇ）の各位置に変更することにより、キー１の抜け位置をそれぞれ図７（ｃ）〜（ｇ）と対応する位置に指定することができる。
【００２１】
上記の説明から判るように、図示実施例では、図８，図９に示した従来構造と比べて部品の追加，変更の必要がなく、同じ部品を使ってそのロータケース３の位置を組み替えるだけで、２ノッチ，３ノッチのキー形セレクタースイッチについて、そのキー１を外せるキー抜け位置を所望の指定位置に設定，変更することができる。
【図面の簡単な説明】
【００２２】
【図１】本発明の実施例によるキー操作ユニットの分解斜視図
【図２】図１の組立状態を表す一部断面の外観斜視図
【図３】図２における要部の断面正面図
【図４】図３におけるロータケースの位置設定とキー抜け位置との関係を表す図で、（ａ）〜（ｇ）はそれぞれロータケースを異なる位置に設定した状態図
【図５】従来例のキー形セレクタースイッチの構造図で、（ａ）は全体の一部断面側視図、（ｂ）は（ａ）における矢視Ｘ−Ｘ断面図
【図６】図５に示したキー形セレクタースイッチの操作説明図で、（ａ），（ｂ）はそれぞれ２ノッチ，３ノッチに対応したスイッチの模式図
【図７】図６のキー形セレクタースイッチに対して指定するキーの抜け位置の模式図で、（ａ）〜（ｇ）はそれぞれ異なるキー抜けの指定位置を表す図
【図８】図７のキー抜け指定に対応した従来の構造図で、（ａ）〜（ｇ）はそれぞれ図７（ａ）〜（ｇ）に対応する設定状態を表す図
【図９】図８と異なる従来の構造図で、（ａ）〜（ｇ）はそれぞれ図７（ａ）〜（ｇ）に対応する設定状態を表す図
【符号の説明】
【００２３】
１    キー
２    シリンダー
３    ロータケース
３ａ，３ａ−１〜３ａ−４  溝
３ｃ  スプライン歯
４    タンブラー
５    フレーム
５ａ  キー溝
【図１】
2008066189.tif 000003
【図２】
2008066189.tif 000004
【図３】
2008066189.tif 000005
【図４】
2008066189.tif 000006
【図５】
2008066189.tif 000007
【図６】
2008066189.tif 000008
【図７】
2008066189.tif 000009
【図８】
2008066189.tif 000010
【図９】
2008066189.tif 000011